(57)【要約】【課題】非接触電力伝送装置において異物の侵入を確実に検知する。【解決手段】受電装置１１０と、入力された交流電流により磁束を発生する一次コイル１２２と、前記一次コイル１２２を覆うカバー１２１を備え、前記受電装置１１０へと非接触で電力を供給する給電装置１０１と、前記カバー１２１周辺に存在する異物を検知する異物検知手段１０６と、前記異物検知手段１０６の出力に応じて異物の有無を判定する異物有無判定手段１０７を備え、前記異物有無判定手段１０７は、前記受電装置１１０と前記給電装置１０１の状態に応じて異物の有無の判定しきい値を変更するため、前記一次コイル１２２からの交流磁界等の影響を抑え、前記給電装置１０１と前記受電装置１１０間への異物を確実に検知することが出来る。【選択図】図１
2015008549.tif 000002
【特許請求の範囲】
【請求項１】
受電装置と、入力された交流電流により磁束を発生する一次コイルと、前記一次コイルを覆うカバーを備え、前記受電装置へと非接触で電力を供給する給電装置と、前記カバー周辺に存在する異物を検知する異物検知手段と、前記異物検知手段の出力に応じて異物の有無を判定する異物有無判定手段とを備え、前記異物有無判定手段は、前記受電装置と前記給電装置の状態に応じて異物の有無の判定しきい値を変更する構成とした非接触電力伝送装置。
【請求項２】
前記受電装置と前記給電装置の位置関係を検知する位置検知手段を備え、前記位置検知手段の検知出力に応じて異物有無判定手段の異物有無の判定しきい値を変更する構成とした請求項１に記載の非接触電力伝送装置。
【請求項３】
前記給電装置の出力の大きさを検知する出力検知手段を備え、前記出力検知手段の検知出力に応じて異物有無判定手段の異物有無の判定しきい値を変更する構成とした請求項１に記載の非接触電力伝送装置。
【請求項４】
前記異物検知手段は静電容量検知方式センサとした、請求項１から３のいずれかに記載の非接触電力伝送装置。
【請求項５】
前記受電装置の出力電力を検知する出力検知手段を備え、前記出力検知手段の検知出力に応じて異物有無判定手段の異物有無判定しきい値を変更する構成とした請求項１に記載の非接触電力伝送装置。
【発明の詳細な説明】
【技術分野】
【０００１】
本発明は、例えば電気自動車やプラグインハイブリッド車のような電気推進車両等の充電に用いられる非接触電力伝送装置に関する。
【背景技術】
【０００２】
図８は、従来の非接触電力伝送装置６の構成を示す模式図である。図８において、地上側の電源９の電源盤に接続された非接触給電装置（１次側）Ｆが、電気推進車両に搭載された受電装置（２次側）Ｇに対し、給電時において、物理的接続なしに空隙空間であるエアギャップを介して対峙するよう配置される。このような配置状態で、給電装置Ｆに備わる１次コイル７に交流電流が与えられ磁束が形成されると、受電装置Ｇに備わる２次コイル８に誘導起電力が生じ、これによって、１次コイル７から２次コイル８へと電力が非接触で伝達される。
【０００３】
受電装置Ｇは、例えば車載バッテリー１０に接続され、上述したようにして伝達された電力が車載バッテリー１０に充電される。この車載バッテリー１０に蓄積された電力により車載のモータ１１が駆動される。なお、非接触給電処理の間、給電装置Ｆと受電装置Ｇとの間では、例えば無線通信装置１２により必要な情報交換が行われる。
【０００４】
図９は、給電装置Ｆ及び受電装置Ｇの内部構造を示す模式図である。特に、図９（ａ）は、給電装置Ｆを上方から、また、受電装置Ｇを下方から見たときの内部構造を示す模式図である。図９（ｂ）は、給電装置Ｆ及び受電装置Ｇを側方から見たときの内部構造を示す模式図である。
【０００５】
図９において、給電装置Ｆは、１次コイル７、１次磁心コア１３、背板１５、及びカバー１６等を備える。受電装置Ｇは、簡単に述べると、給電装置Ｆと対称的な構造を有しており、２次コイル８、２次磁心コア１４、背板１５、カバー１６等を備え、１次コイル７と１次磁心コア１３の表面、および２次コイル８と２次磁心コア１４の表面は、それぞれ、発泡材１８が混入されたモールド樹脂１７にて被覆固定されている。
【０００６】
すなわち、給電装置Ｆ，受電装置Ｇ共に、背板１５とカバー１６間にモールド樹脂１７が充填され、内部の１次コイル７、２次コイル８、更には１次磁心コア１３、２次磁心コア１４の表面が、被覆固定されている。モールド樹脂１７は、例えばシリコン樹脂製よりなり、このように内部を固めることにより、１次，２次コイル７，８を位置決め固定し、その機械的強度を確保すると共に、放熱機能も発揮する。すなわち、１次，２次コイル７，８は、励磁電流が流れジュール熱により発熱するが、モールド樹脂１７の熱伝導により放熱され、冷却される。
【先行技術文献】
【特許文献】
【０００７】
【特許文献１】特開２００８−８７７３３号公報
【発明の概要】
【発明が解決しようとする課題】
【０００８】
給電装置Ｆや受電装置Ｇは基本的に屋外に設置されるため、カバー１６上に異物が載ってしまうことも考えられる。特に、異物の一例である金属物が電力伝送の最中にカバー１６に載り、そのまま放置しておくと、この金属物が過熱されてしまう。また、特に、１次コイル７と２次コイル８の間に、磁束が鎖交可能なループ状の導電体であるような異物が挿入されると、導電体両端に起電力が発生してしまう。侵入した異物が過剰に昇温すると、給電装置Ｆや受電装置Ｇに故障などの被害をもたらす可能性がある。以上のことから、電力伝送の最中には１次コイル７，２次コイル８の間への異物の侵入を確実に検知することが求められる。
【０００９】
それゆえに、本発明は、異物の侵入を確実に検知することが可能な非接触電力伝送装置を提供することを目的とする。
【課題を解決するための手段】
【００１０】
上記目的を達成するために、本発明は、受電装置と、入力された交流電流により磁束を発生する一次コイルと、前記一次コイルを覆うカバーを備え、前記受電装置へと非接触で電力を供給する給電装置と、前記カバー周辺に存在する異物を検知する異物検知手段と、前記異物検知手段の出力に応じて異物の有無を判定する異物有無判定手段と、を備え、前記異物有無判定手段は、前記受電装置と前記給電装置の状態に応じて異物の有無の判定しきい値を変更する構成とした。
【００１１】
また、本発明の別の態様は、受電装置と給電装置の位置関係を検知する位置検知手段を備え、前記位置検知手段の検知出力に応じて異物有無判定手段の異物有無の判定しきい値を変更する構成とした。
【００１２】
また、本発明の別の態様は、給電装置の出力の大きさを検知する出力検知手段を備え、前記出力検知手段の検知出力に応じて異物有無判定手段の異物有無の判定しきい値を変更する構成とした。
【００１３】
また、本発明の別の態様は、異物検知手段は静電容量検知方式センサとした。
【発明の効果】
【００１４】
本発明によれば、非接触電力伝送装置は、カバー近辺への物体の侵入を検知可能な静電容量検知方式センサ等の異物検知手段を備え、受電装置と給電装置の位置関係や、入力電力、出力電力、一次コイル電流等、給電装置の出力の大きさに応じて、異物有無判定手段の異物有無の判定しきい値を変更することが出来るため、異物の存在を確実に検知することが可能となる。
【図面の簡単な説明】
【００１５】
【図１】本発明に係る電力制御装置を備えた非接触電力伝送装置のブロック図
【図２】図１の非接触電力伝送装置の外観図
【図３】静電容量検知方式センサである異物検知手段のブロック図
【図４】給電装置の部分断面図
【図５】異物検知手段の電極構成例を示す外観図
【図６】異物検知手段の別の電極構成例を示す外観図
【図７】（Ａ）異物検知と伝送電力制御を示すフローチャート（Ｂ）異物侵入処理のフローチャート
【図８】従来の非接触電力伝送装置の構成を示す模式図
【図９】図８の給電装置（受電装置）に対峙して配置される受電装置（給電装置）の内部構造を示す模式図
【発明を実施するための形態】
【００１６】
本発明の一態様は、受電装置と、入力された交流電流により磁束を発生する一次コイルと、前記一次コイルを覆うカバーを備え、前記受電装置へと非接触で電力を供給する給電装置と、前記カバー周辺に存在する異物を検知する異物検知手段と、前記異物検知手段の出力に応じて異物の有無を判定する異物有無判定手段とを備え、前記異物有無判定手段は、前記受電装置と前記給電装置の状態に応じて異物の有無の判定しきい値を変更する構成とした。
【００１７】
また、本発明の別の態様は、前記受電装置と前記給電装置の位置関係を検知する位置検知手段を備え、前記位置検知手段の検知出力に応じて異物有無判定手段の異物有無の判定しきい値を変更する構成とした。
【００１８】
また、本発明の別の態様は、前記給電装置の出力の大きさを検知する出力検知手段を備え、前記出力検知手段の検知出力に応じて異物有無判定手段の異物有無の判定しきい値を変更する構成とした。
【００１９】
また、本発明の別の態様は、前記異物検知手段は静電容量検知方式センサとした。
【００２０】
このような構成によれば、静電容量検知方式センサ等の異物検知手段を用いて給電装置のカバー上に物体が存在することを確実に検知できる。
【００２１】
また、受電装置と給電装置の位置関係や、入力電力、出力電力、一次コイル電流等、給電装置の出力の大きさに応じて、一次コイルから出力される交流磁界の大きさが変化し、それによって異物検知手段から異物有無判定手段への出力信号が変化する。この構成によれば、異物有無判定手段の異物有無の判定しきい値を変更することが出来るため、異物の存在を確実に検知することが可能となる。
【００２２】
さらに、静電容量検知方式センサを使用する場合、物体（異物）が昇温に至る可能性のあるカバー上の広い領域を容易かつ確実に検知することができる。よって、侵入した異物の過剰な昇温を防止でき、機器の故障など拡大被害を未然に防止でき安全性が向上する。
【００２３】
以下、本発明の実施の形態について、図面を参照しながら説明する。なお、この実施の形態によって本発明が限定されるものではない。
【００２４】
図１は、本発明に係る給電装置を備えた非接触電力伝送装置のブロック図である。また、図２は車両が駐車スペースに設置された状態の外観図である。図１及び図２に示されるように、非接触電力伝送装置は、例えば駐車スペースに設置される給電装置１０１と、例えば電気推進車両に搭載される受電装置１１０とで構成される。
【００２５】
給電装置１０１は、商用電源１０２に接続される電源箱１０３と、インバータ部１０４と、一次コイルユニット１０５と、異物検知手段１０６と、異物有無判定手段である給電装置側制御部（例えば、マイコン）１０７と、出力検知手段でもある給電電力検知手段１０８と、位置検知手段１０９とを備えている。
【００２６】
一方、受電装置１１０は、二次コイルユニット１１１と、整流部１１２と、負荷（バッテリー）１１３と、制御部（例えば、マイコン）１１４と、出力検知手段でもある出力電力検知手段１１５と、位置検知手段１１６とを備えている。
【００２７】
給電装置１０１において、商用電源１０２は、低周波交流電源である２００Ｖ商用電源であり、電源箱１０３の入力端に接続され、電源箱１０３の出力端はインバータ部１０４の入力端に接続され、インバータ部１０４の出力端は一次コイルユニット１０５に接続されている。商用電源１０２から供給される電圧及び電流は、給電電力検知手段１０８によって検知され、その検知信号は制御部１０７に出力される。
【００２８】
一方、受電装置１１０においては、二次コイルユニット１１１の出力端は整流部１１２の入力端に接続され、整流部１１２の出力端は負荷１１３に接続されている。負荷１１３に供給される電圧及び電流は、出力電力検知手段１１５によって検知され、その検知信号は受電装置側制御部１１４に出力される。
【００２９】
また、一次コイルユニット１０５は地上に敷設され、電源箱１０３は、例えば一次コイルユニット１０５から所定距離だけ離隔した位置に立設される。一方、二次コイルユニット１１１は、例えば車体底部（例えば、シャーシ）に取り付けられる。
【００３０】
制御部１０７は、受電装置側制御部１１４からの指令によって位置検知手段１１６から発生された一定周波数の高周波磁界を受信する位置検知手段１０９の受信磁界レベルから、一次コイルユニット１０５と二次コイルユニット１１１の位置関係を把握する。適切な位置関係にあると判断されたときには、制御部１０７は、無線通信を通じて受電装置側制御部１１４へ通知を行う。
【００３１】
受電装置側制御部１１４は、車両の制御装置（図示せず）へ有線通信を行い、充電可能であることを伝達する。車両の制御装置（図示せず）は、充電可能であるとの通知を受け取り、かつ使用者の操作を検知すると、受電装置側制御部１１４に対して、充電開始指令を出力する。
【００３２】
受電装置側制御部１１４は、検知した負荷１１３の残電圧に応じて電力指令値を決定し、決定した電力指令値を制御部１０７に送信する。制御部１０７は、出力電力検知手段１１５で検知された電圧、電流で演算される出力電力を、無線通信によって受電装置側制御部１１４から受信しつつ、出力電力と電力指令値とを比較し、所定の出力電力が得られるようにインバータ部１０４を駆動して給電電力を調製する。
【００３３】
給電中、受電装置側制御部１１４は受電電力を検知し、負荷１１３に過電流や過電圧がかからないように、制御部１０７への電力指令値を変更する。
【００３４】
図２に示されるように、給電装置１０１から受電装置１１０に給電するに際し、二次コイルユニット１１１は、車両を適宜移動させることで一次コイルユニット１０５に対向して配置され、制御部１０７がインバータ部１０４を駆動制御することで、一次コイルユニット１０５と二次コイルユニット１１１との間に高周波の電磁場が形成される。受電装置１１０は、高周波の電磁場より電力を取り出し、取り出した電力で負荷１１３を充電する。
【００３５】
異物検知手段１０６は、高周波の電磁場領域及びその近傍に異物があるかどうかを検知するためのもので、図２に示されるように、例えば給電装置１０１の一次コイルユニット１０５に設けられる。なお、異物検知手段１０６の詳細については後述する。
【００３６】
なお、本発明における「異物」とは、高周波の電磁場領域に侵入してくる可能性のある人や物などの物体で、特に電磁界により昇温して拡大被害をもたらす可能性のある金属片などのことである。
【００３７】
図３は、異物検知手段１０６のブロック図である。異物検知手段１０６は、異物との間の静電容量を測定する静電容量検知方式センサであって、測定する静電容量の変化に基づいて、異物を検知するように構成されている。そのために、異物検知手段１０６は、電極１１７と、電圧供給部１１８と、Ｃ／Ｖ変換部１１９と、信号処理部１２０とを備える。
【００３８】
異物検知手段１０６（その電極１１７）は、具体的には、図４に示されるように、一次コイルユニット１０５のカバー１２１の裏側に設置されている。一次コイルユニット１０５のカバー１２１は、一次コイル１２２を保護するために、一次コイル１２２を上方から覆うように取り付けられている。異物検知手段１０６の電極１１７は、カバー１２１上に存在する異物１２３との間の静電容量を測定できるように、さらに外部から保護されるように、カバー１２１の裏側、すなわち、カバー１２１と一次コイル１２２との間に設置されている。
【００３９】
なお、異物検知手段１０６の電極１１７は、外部に露出しないようにカバー１２１内に組み込まれてもよい。
【００４０】
図３に示すように、異物検知手段１０６の電圧供給部１１８は、グラウンド（ＧＮＤ）電位を基準とする所定の電位を電極１１７に印加する。これにより、電極１１７と異物１２３との間に静電容量Ｃ１が発生し、その静電容量Ｃ１は、数式１で表現される。
【００４１】
【数１】
2015008549.tif 000003
【００４２】
数式１において、ε０は真空の誘電率、εｒは比誘電率、Ｓは電極１１７と異物１２３の対極する最小面積、ｄは電極１１７と異物１２３の間の距離である。
【００４３】
異物検知手段１０６のＣ／Ｖ変換部１１９は、静電容量Ｃ１を電圧値に変換する。ここでは、異物１２３とＧＮＤ電位との間の静電容量をＣ２とした場合、静電容量Ｃ１＋Ｃ２を対応する電圧値にＣ／Ｖ変換部１１９は変換する。
【００４４】
異物検知手段１０６の信号処理部１２０は、Ｃ／Ｖ変換部１１９によって変換された電圧値に対応する信号、すなわち測定した静電容量に対応する信号を、図１に示されるように、給電装置１０１の制御部１０７に送信する。
【００４５】
制御部１０７は、出力された信号と、内部に設定している異物有無の判定しきい値を比較し、異物有無の判定しきい値を検知出力信号が超えている場合、異物があると判断して、異物あり時の所定の動作モードに移行する。すなわち、制御部１０７は、異物有無判定手段でもある。
【００４６】
このような構成において、異物１２３が電極１１７に接近すれば、数式１の距離ｄが小さくなりＣ１が大きくなる。その結果、異物検知手段１０６の静電容量の測定値が増加し、異物１２３の侵入を検知することができる。したがって、異物検知手段１０６を適当に設ければ、給電装置１０１のカバー１２１上に存在する異物の侵入を確実に検知することができる。
【００４７】
図５及び図６は、異物検知手段１０６の電極１１７の構成例を示す外観図である。異物検知手段１０６は、侵入した異物が磁束により過剰に昇温するなどの不具合を防止するため、一次コイル１２２とほぼ同様の範囲に設けた電極１１７を使用して異物の侵入検知を行う。
【００４８】
電極１１７自体にも一次コイル１２２の磁束により、渦電流が流れて昇温等の不具合が発生するが、図５に示されるように、電極１１７に切れ目１２４を設けて流路を寸断することで、渦電流の発生を防止できる。図６に示されるように、複数の分割した電極１１７を一次コイル１２２とほぼ同様の範囲に配置しても、同様に渦電流による昇温等の不具合を防止しながら十分な検知範囲を確保することができる。
【００４９】
また、図６のように複数の電極１１７を分割配置した場合、電極１１７個々の検知結果を対比することで、異物の侵入位置や大きさを識別することが可能となる。また、各電極１１７の検知結果が同様の変化傾向を示す場合は、全体に関連した経時変化などによる影響と判断され、異物侵入の判断基準の修正をすることで検知精度を高められる。
【００５０】
次に、図７（Ａ）および図７（Ｂ）のフローチャートを参照しながら、異物検知と伝送電力制御について説明する。
【００５１】
図７（Ａ）のフローチャートのステップＳ１において、受電装置１１０を搭載した車両が、その二次コイルユニット１１１が一次コイルユニット１０５に対向するように停止する。
【００５２】
その際、制御部１０７は、受電装置側制御部１１４からの指令によって位置検知手段１１６から発生された一定周波数の高周波磁界を受信する位置検知手段１０９の受信磁界レベルから、一次コイルユニット１０５と二次コイルユニット１１１の位置関係を把握する。適切な位置関係にあると判断した場合には、ステップＳ２において、異物検知手段１０６が静電容量測定動作を開始し、異物検知手段１０６の測定した静電容量は制御部１０７に入力され、初期値として記憶される。例えば、異物検知手段１０６の静電容量測定部分には、電極１１７が用いられており、一次コイルユニット１０５を覆うカバー１２１上における電磁場領域を検知領域として静電容量を測定する。
【００５３】
ステップＳ３において、位置検知手段１０９、１１６の受信磁界レベルから、制御部１０７が一次コイルユニット１０５と二次コイルユニット１１１間の距離が大きいと判断した場合、あらかじめ記憶されているデータテーブルに基づいて、異物有無判定しきい値を補正する。これは、給電時に一次コイル１２２から発生する高周波磁界が大きくなって、その影響により検知誤差が大きくなること、異物検知手段１０６に二次コイルユニット１１１が遠ざかるため、その金属部品の影響が小さくなることを補正することを目的としている。そのため、一次コイルユニット１０５と二次コイルユニット１１１間の距離が大きければ大きいほど、補正された異物有無判定しきい値が大きくなるといった比例関係の補正ではなく、データテーブルとして制御部１０７が保持することが必要になる。
【００５４】
このデータテーブルは、一次コイルユニット１０５と二次コイルユニット１１１の位置関係、すなわち位置検知手段１０９、１１６の受信磁界レベルに応じて設定されており、受電装置、給電装置の状態に応じて異物の有無の判定しきい値を変更することになる。
【００５５】
その後、ステップＳ４において、制御部１０７は、受電装置側制御部１１４から電力指令値を受信すると、インバータ部１０４に電力伝送開始を指示し、一次コイルユニット１０５から二次コイルユニット１１１への電力供給を開始する。
【００５６】
ステップＳ５においては、制御部１０７は、受電装置側制御部１１４から受信した出力電力に応じて、あらかじめ記憶されているデータテーブルに基づいて、異物有無判定しきい値を補正する。これは、出力電力や負荷の状態に応じて変化する、一次コイル１２２からの高周波磁界の周波数と、異物検知手段１０６の電圧供給部１１８の動作周波数が近い場合に検知誤差が大きくなること、一次コイル１２２からの高周波磁界が大きく、出力電力が大きい場合に検知誤差が大きくなることを補正することを目的としている。このデータテーブルは、出力検知手段である出力電力検知手段１１５の検知出力に応じて設定されている。
【００５７】
ステップＳ６においては、制御部１０７が異物検知手段１０６の電極１１７による静電容量の測定値（測定静電容量）の初期値からの変化量と異物有無判定しきい値を比較し、侵入してくる異物による静電容量の変化があるかを判定する。
【００５８】
ステップＳ６において、測定静電容量の初期値からの変化量が異物有無判定しきい値を超えている場合には異物の侵入があると判定され、異物の過熱による拡大被害を防止するため、ステップＳ７に移行し、伝送電力を制御するための異物処理を行う。ステップＳ６において、測定静電容量の初期値からの変化量が異物有無判定しきい値以下である場合には異物の侵入がないと判定され、ステップＳ８において、制御部１０７はインバータ部１０４に電力伝送を継続させる。
【００５９】
図７（Ｂ）のフローチャートは、図７（Ａ）のフローチャートにおけるステップＳ７の異物処理の詳細を示している。
【００６０】
異物処理では、まずステップＳ２１において、異物侵入を表示や音などの告知手段により告知する。
【００６１】
次に、ステップＳ２２において、測定静電容量の初期値からの変化量と異物有無判定二次しきい値との比較をして、経時変化要因の排除や危険度を含めた詳細な判断をする。
【００６２】
経時変化要因とは、機器の温度上昇や気候変動など計測中の環境変化による静電容量の変動を意味する。
【００６３】
異物有無判定しきい値に経時変化要因に配慮した一定値を加えた値や異物侵入時の静電容量を設計データから求めた危険限度値などを異物有無判定二次しきい値とする。
【００６４】
ステップＳ２２において、測定静電容量の初期値からの変化量が異物有無判定二次しきい値を超えていると判定された場合には、ステップＳ２３に移行し、制御部１０７が、一次コイルユニット１０５から二次コイルユニット１１１への伝送電力を所定量（例えば、１／２）落とす、あるいは電力伝送を停止するなどの伝送電力を抑制する制御を行う。さらに、ステップＳ２４において、異物侵入により伝送電力を制御していることを表示や音などの告知手段により告知して、異物処理を終了する。
【００６５】
一方、ステップＳ２２において、測定静電容量の初期値からの変化量が異物有無判定二次しきい値を超えていないと判定された場合には、ステップＳ２３、ステップＳ２４を迂回して異物処理を終了する。
【００６６】
図７（Ａ）のフローチャートのステップＳ９では、人による異物排除や車の使用などの理由により、電力伝送を中断する指示がある場合、ステップＳ１１に移り、制御部１０７はインバータ部１０４に電力伝送終了を指示し、一次コイルユニット１０５から二次コイルユニット１１１への電力供給を停止し、異物検知手段１０６は静電容量測定動作を終了する。
【００６７】
ステップＳ９において、電力伝送の中断指示がない場合、ステップＳ１０に移り、充電が完了したかどうかを判定し、充電が完了していない場合にはステップＳ５に戻り、充電が完了している場合にはステップＳ１１において電力供給を終了するとともに、異物検知動作を終了する。
【００６８】
本実施の形態によれば、給電装置１０１は、カバー１２１上に存在する物体を検知可能な異物検知手段（静電容量検知方式センサ）１０６を備えているので、一次コイルユニット１０５と二次コイルユニット１１１との間への異物の侵入を確実に検知することが可能となる。
【００６９】
上述の説明では、給電装置１０１の一次コイルユニット１０５に静電容量検知方式センサ１０６が設置されている場合について一例として説明したが、本発明はこのような場合についてのみ限定されない。このような場合に代えて、例えば、受電装置１１０の二次コイルユニット１１１に静電容量検知方式センサが設置されているような場合であっても良い。さらに給電装置１０１の一次コイルユニット１０５および受電装置１１０の二次コイルユニット１１１に静電容量検知方式センサがそれぞれ設置されているような場合であっても良い。
【００７０】
なお、図３では、静電容量検知方式センサの静電容量検知方式として、Ｃ／Ｖ変換部１１９によって静電容量変化を検知する場合を示したが、これに限定するものではない。例えば、異物がないときの周辺との静電容量と共振するような周波数の電圧を電極１１７に印加しておき、異物１２３が近付いたときの静電容量変化によって共振周波数が変化し、電圧振幅が変化することから静電容量変化を検知しても良い。
【００７１】
また、同様に、異物がないときの周辺との静電容量と共振するような周波数の電圧を電極１１７に印加しておき、異物１２３が近付いたときの静電容量変化によって共振周波数が変化し、流れる電流が変化することから静電容量変化を検知しても良い。
【００７２】
また、電極１１７は、カバー１２１の裏側に配置される構成を示したが、これに限定されるものではない。例えば、電極１１７がカバー１２１内部に埋設されるような構成であっても良い。この場合、異物と電極１１７間の距離を小さく出来るため、検知感度が向上し、さらに安定して異物検知を行うことが出来る。
【００７３】
また、異物検知手段１０６は、静電容量検知方式センサに限定されるものではない。例えば、一次コイルユニット１０５のカバー１２１の内側に接触するようシート状の感温センサを設け、カバー１２１上の異物温度上昇により異物有無を検知するものであっても良い。
【００７４】
なお、図５及び図６では、電極１１７が一定の面積を持つ場合を示したが、これに限定するものではない。例えば、一次コイル１２２から発生する高周波磁界によって渦電流が発生しないよう、帯状の電極を設置して、その端部をループ上にはせず、電気的に開放するようにすれば良い。
【００７５】
また、電極１１７に細かくスリットを入れて、電気的にはつながっているが、渦電流が流れるループが制限されるような形状であっても良い。
【００７６】
また、図７（Ａ）および図７（Ｂ）のフローチャートに示す処理では、異物有無判定しきい値と異物有無判定二次しきい値との２つの判定基準を設けて、段階的に異物検知等の処理を行う場合について説明したが、例えば異物有無判定しきい値と異物有無判定二次しきい値を同一として、１つの判定基準により異物検知等の処理を行っても良い。
【００７７】
なお、上記様々な実施形態のうちの任意の実施形態を適宜組み合わせることにより、それぞれの有する効果を奏するようにすることができる。
【産業上の利用可能性】
【００７８】
以上のように、本発明に係る非接触電力伝送装置では、給電装置から受電装置への給電のための電磁場領域近辺に侵入した異物を確実に検知できるようにしたので、例えば人や物が不注意にあるいは誤って近づく可能性がある電気推進車両の受電装置への給電等に有用である。
【符号の説明】
【００７９】
１０１  給電装置
１０６  静電容量検知方式センサ（異物検知手段）
１０７  制御部（異物有無判定手段）
１０８  給電電力検知手段（出力検知手段）
１０９  位置検知手段
１１０  受電装置
１１５  出力電力検知手段（出力検知手段）
１１６  位置検知手段
１２１  カバー
１２２  一次コイル
【図１】
2015008549.tif 000004
【図２】
2015008549.tif 000005
【図３】
2015008549.tif 000006
【図４】
2015008549.tif 000007
【図５】
2015008549.tif 000008
【図６】
2015008549.tif 000009
【図７】
2015008549.tif 000010
【図８】
2015008549.tif 000011
【図９】
2015008549.tif 000012